(57)【要約】【課題】  電動機プーリおよび油圧ポンププーリを覆う保護カバーを取り外したときに、電動機の電源回路が自動的に切れて常に安全に保守点検の作業を行なうことができる油圧式エレベータの油圧パワーユニットを提供する。【解決手段】  架台１と、架台１内に設けられた電動機２および油圧ポンプ３と、電動機２に設けられた電動機プーリ５および油圧ポンプ３に設けられた油圧ポンププーリ６と、電動機プーリ５と油圧ポンププーリ６との間に掛け渡された動力伝達用のベルト７と、架台１の側面に設けられた点検口１０と、架台１の前記側面に電動機プーリ５および油圧ポンププーリ６を覆うように脱着可能に設けられ、その脱着で前記点検口１０が開閉される保護カバー１１と、保護カバー１１の脱着の動作に連動し、保護カバー１１の取り外しに応じて電動機２の電源回路を開放保持する安全スイッチ１５とを具備する。【選択図】    図２
2010042912.tif 000002
【特許請求の範囲】
【請求項１】
架台と、
前記架台内に設けられた電動機および油圧ポンプと、
前記電動機に設けられた電動機プーリおよび前記油圧ポンプに設けられた油圧ポンププーリと、
前記電動機プーリと前記油圧ポンププーリとの間に掛け渡された動力伝達用のベルトと、
前記架台の前記電動機プーリおよび油圧ポンププーリと対向する側面に設けられた点検口と、
前記架台の前記側面に前記電動機プーリおよび油圧ポンププーリを覆うように脱着可能に設けられ、その脱着で前記点検口が開閉される保護カバーと、
前記保護カバーの脱着の動作に連動し、該保護カバーの取り外しに応じて前記電動機の電源回路を開放保持するスイッチ機構と、
を具備することを特徴とする油圧式エレベータの油圧パワーユニット。
【請求項２】
前記スッチ機構は前記点検口の縁部に設けられていることを特徴とする請求項１に記載の油圧式エレベータの油圧パワーユニット。
【発明の詳細な説明】
【技術分野】
【０００１】
この発明は、油圧式エレベータに用いられる油圧パワーユニットに関する。
【背景技術】
【０００２】
油圧式エレベータは、油タンク内の油を油圧パワーユニットを介して油圧ジャッキに送り込み、その油圧で動作する油圧ジャッキで乗りかごを昇降させるようになっている。
【０００３】
油圧パワーユニットは、架台内に電動機および油圧ポンプを備え、その電動機に電動機プーリが、油圧ポンプに油圧ポンププーリがそれぞれ取り付けられ、これら電動機プーリと油圧ポンププーリとの間に動力伝達用のベルトが掛け渡されている。そして電動機が回転し、その回転動力がベルトを介して油圧ポンプに伝達され、油圧ポンプの回転で架台の上の油タンク内の油が油圧ジャッキに送り込まれ、乗りかごが駆動される。
【０００４】
動力伝達用のベルトは、電動機プーリと油圧ポンププーリとの間に所定のテンションを保持して掛け渡すことが重要であり、テンションが不足すると特開２００２−２００５３公報に記載されているようにすべりが生じ、乗りかごの乗り心地を悪化させ、また故障の原因となり、このため定期的にテンションを確認し、調整する保守点検の作業が必要となる。
【特許文献１】特開２００２−２００５３公報
【発明の開示】
【発明が解決しようとする課題】
【０００５】
ベルトの保守点検にあたっては、まず電動機の電源回路を切り、この後、電動プーリおよび油圧ポンププーリを覆っている保護カバーを取り外してその電動プーリおよび油圧ポンププーリを露出させ、この状態でベルトのテンションを点検し、テンションが不足していればその調整を行なう。
【０００６】
ところが、この保守点検の際に、電動機の電源回路を切り忘れ、そのままカバーを取り外してベルトのテンションを点検したり調整したりしてしまうことがある。このような場合、何らかの原因で電動機が起動し、電動機プーリが回転してベルトが走行し、不測の危険を招く恐れある。
【０００７】
この発明はこのような点に着目してなされたもので、その目的とするところは、保護カバーを取り外したときには、電動機の電源回路が自動的に切れて常に安全に保守点検の作業を行なうことができる油圧式エレベータの油圧パワーユニットを提供することにある。
【課題を解決するための手段】
【０００８】
このような目的を達成するために、請求項１の発明は、架台と、前記架台内に設けられた電動機および油圧ポンプと、前記電動機に設けられた電動機プーリおよび前記油圧ポンプに設けられた油圧ポンププーリと、前記電動機プーリと前記油圧ポンププーリとの間に掛け渡された動力伝達用のベルトと、前記架台の前記電動機プーリおよび油圧ポンププーリと対向する側面に設けられた点検口と、前記架台の前記側面に前記電動機プーリおよび油圧ポンププーリを覆うように脱着可能に設けられ、その脱着で前記点検口が開閉される保護カバーと、前記保護カバーの脱着の動作に連動し、該保護カバーの取り外しに応じて前記電動機の電源回路を開放保持するスイッチ機構とを具備することを特徴としている。
【０００９】
請求項２の発明は、前記スッチ機構が前記点検口の縁部に設けられていることを特徴としている。
【発明の効果】
【００１０】
この発明によれば、電動機プーリおよび油圧ポンププーリを覆う保護カバーを取り外したときに、電動機の電源回路が自動的に切れて常に安全に保守点検の作業を行なうことができる。
【発明を実施するための最良の形態】
【００１１】
以下、この発明の一実施形態について図面を参照して説明する。
【００１２】
図１には油圧パワーユニットの全体の外観を示し、図２にはその油圧パワーユニットの保守点検時の状態を示してある。油圧パワーユニットは架台１を備え、この架台１内に電動機２および油圧ポンプ３が左右に並んで設置され、また架台１の上に油タンク４が設けられ、この油タンク４内に油圧用の油が収容されている。
【００１３】
電動機２には電動機プーリ５が、油圧ポンプ３には油圧ポンププーリ６がそれぞれ取り付けられており、これら電動機プーリ５と油圧ポンププーリ６との間にベルト７が掛け渡されている。そして、電動機２が起動し、電動機プーリ５が回転すると、その回転動力がベルト７を介して油圧ポンププーリ６に伝達されて油圧ポンプ３が駆動され、この油圧ポンプ３の動作で油タンク４内の油が油圧ジャッキに圧送され、エレベータの乗りかごが駆動される。
【００１４】
電動機プーリ５および油圧ポンププーリ６は架台１の一前面（前面）と対向し、その架台１の側面が点検口１０として開口している。そして、この点検口１０に電動機プーリ５および油圧ポンププーリ６を覆う保護カバー１１が複数の止めねじ１２を介して脱着可能に取り付けられている。保護カバー１１の前面には、図２に示すように脱着用の取っ手１３が設けられている。なお、図１においては、取っ手１３の図示を省略してある。
【００１５】
点検口１０の縁部には、電動機２の電源回路を開閉するスイッチ機構としての安全スイッチ１５が取り付けられている。この安全スイッチ１５はアクチュエータ１５ａを有し、前記保護カバー１１が点検口１０に装着されているときには、アクチュエータ１５ａがその保護カバー１１で押圧され、この押圧で電動機２の電源回路が閉成状態に保持されている。
【００１６】
このような構成において、ベルト７のテンションの確認などの保守点検の作業時には、まず図１の状態から各止めねじ１２を抜き取り、保護カバー１１を架台１の側面から図２に示すように取り外して点検口１０を開放する。そして点検口１０から架台１内に手を差込むなどしてベルト７のテンションを点検し、テンションが不足していればその調整作業を行なう。
【００１７】
保護カバー１１を架台１の側面から取り外して点検口１０を開放したときには、安全スイッチ１５のアクチュエータ１５ａに対する押圧が解除され、この解除で安全スイッチ１５がオフし、電動機２の電源回路が開き、その開放状態が保持される。
【００１８】
すなわち、保護カバー１１を取り外して保守点検の作業を行なうときには、その保護カバー１１の取り外しに応じて安全スイッチ１５がオフして自動的に電動機２の電源回路が開放される。したがって、電動機２の電源回路を切り忘れるようなことがなく、常に電動機２の電源回路が開放された安全な状態のもとで保守点検の作業を行なえ、電動機２の不用意な起動による不測の危険の発生を確実に防止することができる。
【００１９】
なお、保守点検の作業が終了した後には、保護カバー１１を架台１の側面に止めねじ１２を用いて締結固定し、点検口１０を閉鎖し、電動機プーリ５および油圧ポンププーリ６を保護カバー１１で覆って保護する。
【図面の簡単な説明】
【００２０】
【図１】この発明の一実施形態に係る油圧パワーユニットの外観を示す斜視図。
【図２】その油圧パワーユニットの保護カバーを取り外した状態の斜視図。
【符号の説明】
【００２１】
１…架台
２…電動機
３…油圧ポンプ
４…油タンク
５…電動機プーリ
６…油圧ポンププーリ
７…ベルト
１０…点検口
１１…保護カバー
１５…安全スイッチ
１５ａ…アクチュエータ
【図１】
2010042912.tif 000003
【図２】
2010042912.tif 000004